(57)【要約】      （修正有）【課題】手軽に筋力を鍛えることができるクッション体を提供する。【解決手段】クッション体１は、略中央から端部にかけて設けられた開口部１１を有し、使用者が乗馬姿勢で着座できる弾性部材で形成された座部１０と、座部１０に形成され、開口部１１の一方側に位置し、左側太ももに当接する左側当接部１０ｂと、座部１０に形成され、開口部１１の一方側に位置し、右側太ももに当接する右側当接部１０ｃと、左側当接部１０ｂに接続され、左側太ももの内側に当接するために、開口部１１に向かって上り勾配に傾斜されると共に、弾性部材で形成された左側太もも傾斜当接部１０ｂ’と、右側当接部１０ｃに接続され、右側太ももの内側に当接するために、開口部１１に向かって上り勾配に傾斜されると共に、弾性部材で形成された右側太もも傾斜当接部１０ｃ’とを備える。【選択図】図５
0003126780.tif 000002
【実用新案登録請求の範囲】
【請求項１】
略中央から端部にかけて設けられた開口部を有し、使用者が乗馬姿勢で着座できる弾性部材で形成された座部と、
前記座部に形成され、前記開口部の一方側に位置し、左側太ももに当接する左側当接部と、
前記座部に形成され、前記開口部の一方側に位置し、右側太ももに当接する右側当接部と、
前記左側当接部に接続され、左側太ももの内側に当接するために、前記開口部に向かって上り勾配に傾斜されると共に、弾性部材で形成された左側太もも傾斜当接部と、
前記右側当接部に接続され、右側太ももの内側に当接するために、前記開口部に向かって上り勾配に傾斜されると共に、弾性部材で形成された右側太もも傾斜当接部と、
を備えていることを特徴とするクッション体。
【請求項２】
略中央から端部にかけて設けられた開口部を有し、太もも及び臀部が当接すると共に、弾性部材で形成された座部と、
この座部は、前記臀部に当接する臀部当接部と、左側太ももに当接する左側当接部と、右側太ももに当接する右側当接部とを有し、
前記左側当接部は、前記開口部の一方側に位置し、
前記右側当接部は、前記開口部の他方側に位置し、
前記臀部当接部から前記左側当接部にかけて下がり勾配のスロープが形成され、
前記臀部当接部から前記右側当接部にかけて下がり勾配のスロープが形成され、
前記左側当接部に接続され、左側太ももの内側に当接するために、前記開口部に向かって上り勾配に傾斜されると共に、弾性部材で形成された左側太もも傾斜当接部と、
前記右側当接部に接続され、右側太ももの内側に当接するために、前記開口部に向かって上り勾配に傾斜されると共に、弾性部材で形成された右側太もも傾斜当接部と、
を備えていることを特徴とするクッション体。
【考案の詳細な説明】
【技術分野】
【０００１】
本考案は、クッション体に係り、特に、手軽に筋力を鍛えることができるクッション体に関する。
【背景技術】
【０００２】
乗馬の姿勢は、骨盤の前傾、背筋の美しいＳ字ライン等を得られるとされ、  近時、乗馬の姿勢を取り入れた装置、例えば、人が着座した状態で揺動運動を行わせて身体のバランス機能や運動機能を訓練するバランス訓練装置がある（例えば、特許文献１参照）。
このバランス訓練装置は、支持台内の駆動装置を起動させて座席部に前後左右の揺動運動を行わせて、乗馬運動によるバランス訓練を行うものである。
しかしながら、上記バランス訓練装置は、支持台内に駆動装置を用いるなど装置が大がかりとなり、手軽さの点で今一歩であるという問題点があった。
【０００３】
【特許文献１】特開２００３−９３５４１号公報（図１）
【考案の開示】
【考案が解決しようとする課題】
【０００４】
本考案は、前記した問題点を除去するようにしたクッション体を提供することを目的としている。
【課題を解決するための手段】
【０００５】
前記した目的を達成するための請求項１記載のクッション体は、略中央から端部にかけて設けられた開口部を有し、使用者が乗馬姿勢で着座できる弾性部材で形成された座部と、前記座部に形成され、前記開口部の一方側に位置し、左側太ももに当接する左側当接部と、前記座部に形成され、前記開口部の一方側に位置し、右側太ももに当接する右側当接部と、前記左側当接部に接続され、左側太ももの内側に当接するために、前記開口部に向かって上り勾配に傾斜されると共に、弾性部材で形成された左側太もも傾斜当接部と、前記右側当接部に接続され、右側太ももの内側に当接するために、前記開口部に向かって上り勾配に傾斜されると共に、弾性部材で形成された右側太もも傾斜当接部とを備えているものである。
【０００６】
また、請求項２記載のクッション体は、略中央から端部にかけて設けられた開口部を有し、太もも及び臀部が当接すると共に、弾性部材で形成された座部と  、この座部は、前記臀部に当接する臀部当接部と、左側太ももに当接する左側当接部と、右側太ももに当接する右側当接部とを有し、前記左側当接部は、前記開口部の一方側に位置し、前記右側当接部は、前記開口部の他方側に位置し、前記臀部当接部から前記左側当接部にかけて下がり勾配のスロープが形成され、前記臀部当接部から前記右側当接部にかけて下がり勾配のスロープが形成され、前記左側当接部に接続され、左側太ももの内側に当接するために、前記開口部に向かって上り勾配に傾斜されると共に、弾性部材で形成された左側太もも傾斜当接部と、前記右側当接部に接続され、右側太ももの内側に当接するために、前記開口部に向かって上り勾配に傾斜されると共に、弾性部材で形成された右側太もも傾斜当接部とを備えているものである。
【考案の効果】
【０００７】
請求項１記載のクッション体によれば、使用者が乗馬姿勢で着座できる弾性部材で形成された座部であるため、乗馬スタイルに見られる骨盤の前傾で、好ましい姿勢が得られると共に、好ましい姿勢の状態で、弾性部材で形成された左側太もも傾斜当接部に左側太ももの内側を、弾性部材で形成された右側太もも傾斜当接部に右側太ももの内側を、それぞれ当接し、ある程度負荷を与えて太ももの内側同士を左側太もも傾斜当接部及び右側太もも傾斜当接部を介して近づけたり遠ざけることにより、不足している内側の太ももの筋肉を手軽に鍛え、引いては美脚を得ることができる。
【０００８】
また、請求項２記載のクッション体によれば、太もも及び臀部が当接する座部には  、臀部当接部から左側当接部にかけて下がり勾配のスロープが形成され、臀部当接部から右側当接部にかけて下がり勾配のスロープが形成されているため、乗馬スタイルに見られる骨盤の前傾で、好ましい姿勢が得られると共に、好ましい姿勢の状態で、弾性部材で形成された左側太もも傾斜当接部に左側太ももの内側を、弾性部材で形成された右側太もも傾斜当接部に右側太ももの内側を、それぞれ当接し、ある程度負荷を与えて太ももの内側同士を左側太もも傾斜当接部及び右側太もも傾斜当接部を介して近づけたり遠ざけることにより、不足している内側の太ももの筋肉を手軽に鍛え、引いては美脚を得ることができる。
【考案を実施するための最良の形態】
【０００９】
本考案の一実施例のクッション体を図面を参照して説明する。
図１〜図６において、１はクッション体で、クッション体１は、椅子２等に置いて、乗馬スタイルに見られる好ましい姿勢の状態で、不足している内側の太ももの筋肉を手軽に鍛えることができるようにするものである。
クッション体１は、弾性部材で形成され、例えば、材質は、合成樹脂（例えば、発泡ウレタン）で、弾性部材の硬度 は、ゴム硬度計による硬度が１０〜９０度である。
【００１０】
クッション体１は、略中央から端部にかけて設けられた開口部１１を有し、使用者が乗馬姿勢で着座できる弾性部材で形成された座部１０を有している。
座部１０は、太もも及び臀部が当接する部位で、臀部に当接する臀部当接部１０ａと、左側太ももに当接する左側当接部１０ｂと、右側太ももに当接する右側当接部１０ｃとを有している。
【００１１】
左側当接部１０ｂは、開口部１１の一方側に位置し、右側当接部１０ｃは、開口部１１の他方側に位置している。
また、座部１０には、臀部当接部１０ａから左側当接部１０ｂにかけて下がり勾配のスロープが、臀部当接部１０ａから右側当接部１０ｃにかけて下がり勾配のスロープが、それぞれ形成されている。
また、左側当接部１０ｂには弾性部材で形成された左側太もも傾斜当接部１０ｂ’が接続され、左側太もも傾斜当接部１０ｂ’は左側太ももの内側に当接するためのもので、開口部１１に向かって上り勾配に傾斜されると共に、座部１０と同じ弾性部材で形成されている。
右側太もも傾斜当接部１０ｃ’は、左側太もも傾斜当接部１０ｂ’と同様に  、右側当接部１０ｃには弾性部材で形成された右側太もも傾斜当接部１０ｃ’が接続され、右側太もも傾斜当接部１０ｃ’は右側太ももの内側に当接するためのもので、開口部１１に向かって上り勾配に傾斜されると共に、座部１０と同じ弾性部材で形成されている。
【００１２】
従って、上述したクッション体１によれば、使用者が乗馬姿勢で着座できる弾性部材で形成された座部１０であるため、つまり、臀部当接部１０ａから左側当接部１０ｂにかけて下がり勾配のスロープが形成され、臀部当接部１０ａから右側当接部１０ｃにかけて下がり勾配のスロープが形成されているため、乗馬スタイルに見られる骨盤の前傾で、好ましい姿勢が得られると共に、好ましい姿勢の状態で、弾性部材で形成された左側太もも傾斜当接部１０ｂ’に左側太ももの内側を、弾性部材で形成された右側太もも傾斜当接部１０ｃ’に右側太ももの内側を、それぞれ当接し、ある程度負荷を与えて太ももの内側同士を左側太もも傾斜当接部１０ｂ’及び右側太もも傾斜当接部１０ｃ’を介して近づけたり遠ざけることにより、不足している内側の太ももの筋肉を手軽に鍛え、引いては美脚を得ることができる。
【図面の簡単な説明】
【００１３】
【図１】図１は、本考案の一実施例のクッション体の概略的斜視図である。
【図２】図２は、図１のクッション体を矢印Ａ方向から見た概略的図である。
【図３】図３は、図１の３−３線の概略的断面図である。
【図４】図４は、図１のクッション体の使用状態の概略的側面図である。
【図５】図５は、図１のクッション体の使用状態の概略的斜視図である。
【図６】図６は、図１のクッション体の左側太もも傾斜当接部及び右側太もも傾斜当接部５の動きを示すための概略的正面図である。
【符号の説明】
【００１４】
１      …………クッション体
１０    …………座部
１０ｂ  …………左側当接部   
１０ｂ’………左側太もも傾斜当接部
１０ｃ  …………右側当接部 
１０ｃ’…………右側太もも傾斜当接部
１０ｂ…………左側当接部 
【図１】
0003126780.tif 000003
【図２】
0003126780.tif 000004
【図３】
0003126780.tif 000005
【図４】
0003126780.tif 000006
【図５】
0003126780.tif 000007
【図６】
0003126780.tif 000008